【誤訳訂正書】
【提出日】平成21年9月24日(2009.9.24)
【誤訳訂正１】
【訂正対象書類名】特許請求の範囲
【訂正対象項目名】全文
【訂正方法】変更
【訂正の内容】
【特許請求の範囲】
【請求項１】
溶液から有効な量の１つ以上の成分を除去し得る、高分子構成物を生成する方法であって、該方法は、以下：
フェニル基を含む樹脂材料を調製する工程；
該フェニル基上でアセチル基を形成する工程；および
ケトアルデヒド基を形成するために、スルホキシドおよび酸と、該アセチル基とを反応させる工程を含む、１段階の反応を介して、該アセチル基を酸化する工程；
を包含する、方法。
【請求項２】
前記樹脂材料が、ポリスチレン、架橋型ポリスチレンおよびそれらの混合物からなる群より選択されるポリマーを含む、請求項１に記載の方法。
【請求項３】
前記樹脂材料が、該樹脂材料の０．０１重量％〜９９．９重量％の範囲の量で、スチレンを含む、請求項１に記載の方法。
【請求項４】
前記アセチル基が、フリーデル−クラフト反応を通して形成された、請求項１に記載の方法。
【請求項５】
前記フリーデル−クラフト反応が、前記樹脂材料と、ジクロロエタンおよび塩化アセチルとを反応させる工程を含む、請求項４に記載の方法。
【請求項６】
前記スルホキシドが、脂肪族スルホキシドを含む、請求項１に記載の方法。
【請求項７】
前記酸が、ハロゲン化水素酸を含む、請求項１に記載の方法。
【請求項８】
前記酸化工程が、前記酸を加えた後、還流条件下で進行される、請求項１に記載の方法。
【請求項９】
請求項１に記載の方法であって、ここで、前記高分子構成物が、生理的溶液から前記有効な量の１つ以上の成分を除去し得、かつ、該成分は、求核部分、電子豊富な化学基、ルイス塩基、ブレンステッド塩基、アニオン（例えば、ハロゲン化物）、自由電子対を有する１つ以上のヘテロ原子（例えば、硫黄、窒素、酸素）を含む分子またはラジカル、尿素、クレアチニン、尿酸、β−２  ミクログロブリン、代謝性廃棄物、タンパク様物質、生物学的物質、およびそれらの組み合わせからなる群より選択される、方法。
【請求項１０】
芳香族α−ケトアルデヒドを含む、高分子構成物を調製する方法であって、該方法は、以下：
フェニル基を含むポリマー材料を調製する工程；
該ポリマー材料をアセチル化し、それによって、アセチル基を該フェニル基に結合させる工程；ならびに
該アセチル基と、スルホキシドおよびハロゲン化水素酸とを反応させる工程を含む１段階の反応を介して該アセチル基を酸化し、それによって、α−ケトアルデヒドを形成する工程；
を包含する、方法。
【請求項１１】
前記スルホキシドが、脂肪族スルホキシドを含む、請求項１０に記載の方法。
【請求項１２】
前記ハロゲン化水素酸が、臭化水素を含む、請求項１０に記載の方法。
【請求項１３】
前記ポリマー材料が、ポリスチレン、架橋型ポリスチレン、多孔性樹脂材料、巨大多孔性樹脂材料、非多孔性樹脂材料、ゲル樹脂材料およびそれらの混合物からなる群より選択される樹脂材料を含む、請求項１０に記載の方法。
【請求項１４】
前記高分子構成物が、有効な量のγ線照射で滅菌される、請求項１０に記載の方法。
【請求項１５】
バインダー材料を生成する方法であって、該方法は以下：
樹脂材料を調製する工程；
アセチル基を形成する工程；ならびに
グリオキサール基を形成するために、スルホキシドおよびハロゲン化水素酸と、該アセチル基とを反応させる工程を含む、１段階の反応を介して、該アセチル基を酸化する工程であって、ここで、該バインダー材料が、生理的溶液から有効な量の１つ以上の成分を除去し得る工程；
を包含する、方法。
【請求項１６】
前記グリオキサール基が、水和グリオキサール基、非水和グリオキサール基、およびそれらの組み合わせからなる群より選択される、請求項１５に記載の方法。
【請求項１７】
前記成分が、求核部分、電子豊富な化学基、ルイス塩基、ブレンステッド塩基、アニオン（例えば、ハロゲン化物）、自由電子対を有する１つ以上のヘテロ原子（例えば、硫黄、窒素、酸素）を含む分子またはラジカル、尿素、クレアチニン、尿酸、β−２  ミクログロブリン、代謝性廃棄物、タンパク様物質、生物学的物質、およびそれらの組み合わせからなる群より選択される、請求項１５に記載の方法。
【請求項１８】
前記バインダー材料が、血液透析治療の間、１つ以上の前記成分を除去し得る、請求項１７に記載の方法。
【請求項１９】
前記スルホキシドが、ジメチルスルホキシドを含み、かつ前記ハロゲン化水素酸が、臭化水素を含む、請求項１５に記載の方法。
【誤訳訂正２】
【訂正対象書類名】明細書
【訂正対象項目名】０００１
【訂正方法】変更
【訂正の内容】
【０００１】
（発明の背景）
本発明は、一般的に、高分子構成物（ｃｏｍｐｏｓｉｔｉｏｎ）に関する。より詳細には、本発明は、化学結合特性を有する、高分子ケトアルデヒド構成物を作製および使用する方法に関する。
【誤訳訂正３】
【訂正対象書類名】明細書
【訂正対象項目名】０００３
【訂正方法】変更
【訂正の内容】
【０００３】
一般的に、ポリマー材料は、当該分野で公知であり、溶液中の、尿素、クレアチニン、タンパク質、アミノ酸、糖タンパク質、および／または他の代謝性廃棄物のような、窒素含有化合物を除去し得る。これらのタイプの材料は、尿素または他の同様の化合物と化学的に結合する官能基を含む。例えば、米国特許第３，９３３，７５３号および同第４，０１２，３１７号は、尿素と化学的に結合するために機能し得るフェニルグリオキサールを含むアルケニル芳香族ポリマーを開示する。開示されるように、このグリオキサール官能性ポリマーを作製するためのプロセスは、一般的に、ポリ−ｐ−ビニルアセトフェノンの調製を含む。次に、臭化フェナシルが形成される。この後に、フェニルグリオキサール基を形成するための、このポリ−ｐ−ビニルフェナシルハロゲン化物の酸化を含む、別々の工程が続く。例えば、米国特許第３，９３３，７５３号の第７欄および第８欄を参照のこと。
【誤訳訂正４】
【訂正対象書類名】明細書
【訂正対象項目名】０００４
【訂正方法】変更
【訂正の内容】
【０００４】
溶液中の尿素などを除去し得るポリマー材料の別の例は、米国特許第４，８９７，２００号に開示されている。この材料は、ニンヒドリンとして一般に公知である、トリカルボニル官能基を含む。このポリマー材料（Ｐ−ニンヒドリン）の一般式を以下に示す：
【誤訳訂正５】
【訂正対象書類名】明細書
【訂正対象項目名】０００６
【訂正方法】変更
【訂正の内容】
【０００６】
それゆえ、生理化学的条件下でさえ有効であり得、そして減少したコストで手軽にかつ容易に作製され得る化学結合特性を有し、そして、治療システムのような既存のシステムに容易に適合し得る、改善された方法から作製される高分子構成物を提供する必要性が存在する。
【誤訳訂正６】
【訂正対象書類名】明細書
【訂正対象項目名】０００７
【訂正方法】変更
【訂正の内容】
【０００７】
（発明の要旨）
本発明は、高分子構成物に関する。特に、本発明は、化学結合特性を有する高分子構成物を作製および使用する、改良された方法に関する。本発明の高分子構成物は、増加した取り込みレベルで、任意の適切な流体の１つ以上の適切な成分と化学的に結合し得る、高分子ケトアルデヒドを含む。本明細書で使用される場合、用語「高分子構成物」または他の同様の用語は、例えば、合成ポリマー、天然ポリマーなどを含む、１０００ａｍｕより重い分子量を有する分子のような、巨大分子を意味する。
【誤訳訂正７】
【訂正対象書類名】明細書
【訂正対象項目名】０００８
【訂正方法】変更
【訂正の内容】
【０００８】
本発明は、高分子構成物を生成するためのプロセスを提供する。この高分子構成物としては、例えば、芳香族ビニルモノマーのようなエチレン性（ｅｔｈｙｌｅｎｉｃａｌｌｙ）不飽和化合物の（共）重合体（ｐｏｌｙｍｅｒｉｓａｔｅ）から適切な転換形態の経路を通して調製された構成物；例えば、芳香族化合物のフリーデルクラフト反応から得られた、ポリ縮合物；天然高分子材料およびその改変体；熱分解によって調製された、炭素または他の適切な高分子生成物のような高分子材料；シリカ、アルミナ、ゼオライト、ケイ酸アルミニウムナトリウムなどのような、無機材料；またはそれらの組み合わせが挙げられる。例えば、高分子構成物の調製物は、架橋型ポリスチレンから構成された樹脂材料の形成を生じ得る。この高分子構成物は、比較的大きい内部の表面領域を有し得る。
【誤訳訂正８】
【訂正対象書類名】明細書
【訂正対象項目名】０００９
【訂正方法】変更
【訂正の内容】
【０００９】
本発明のプロセスは、この高分子構成物のアシル化を含む。これは、アシル化ポリスチレン樹脂のような、アシル化型高分子構成物の形成をもたらす。
【誤訳訂正９】
【訂正対象書類名】明細書
【訂正対象項目名】００１０
【訂正方法】変更
【訂正の内容】
【００１０】
この高分子構成物の酸化は、アシル化の後に行われ、従ってケトアルデヒド基の形成を生じる。本発明の一実施形態では、この酸化は、１段階の反応において行われる。この段階は、ジメチルスルホキシドなどのような酸化溶媒とこのアシル化構成物とを混合させ、反応混合物を形成する工程を含む。臭化水素酸などを含む、ハロゲン化水素酸のような酸は、反応混合物に加えられ、従ってこのアセチル基をケトアルデヒド基に転換する。出願人は、本発明のプロセスが、増加する官能性を有する、高分子ケトアルデヒドを生じると考える。これは、例えば、硫黄、窒素、酸素のような自由電子対を有するヘテロ原子を含むアニオン、分子またはラジカル（ｒａｄｉｃａｌ）、（例えば、尿素、クレアチニン、尿酸、β−２  ミクログロブリン、β−２  ミクログロブリン様タンパク質、他の類似の代謝性廃棄物、他の適切な生物学的物質および／または他の適切な成分）に関して、この構成物の結合能力を促進し得る。
【誤訳訂正１０】
【訂正対象書類名】明細書
【訂正対象項目名】００１２
【訂正方法】変更
【訂正の内容】
【００１２】
本発明の高分子ケトアルデヒド構成物は、生理学的条件下でさえ、種々の異なる用途において、効率的に利用され得る。例えば、本発明の高分子構成物は、有効な取り込みのレベルにおいて、任意の適切な流体から尿素などを除去するために利用され得る。尿素または任意の求核試薬の除去は、この高分子構成物のケトアルデヒドと、１つもしくは両方の尿素の窒素原子、または任意の適切な求核試薬に付随する１つ以上の窒素原子との間の反応性結合による。
【誤訳訂正１１】
【訂正対象書類名】明細書
【訂正対象項目名】００１３
【訂正方法】変更
【訂正の内容】
【００１３】
これは、持続性流動腹膜透析の間に、再利用（例えば、患者の腹膜腔の中へ、患者の腹膜腔を通して、または患者の腹膜腔の外への再循環）される前に、この透析液が再生される、再生透析治療の間に、適用される場合、特に有益であり得る。この点について、本発明の高分子構成物は、再利用する前に、この透析液から、少なくとも尿素の一部、他の適切な代謝性廃棄物、適切な他の生物学的物質などを除去する、任意の適切な方法において適合され得る。本発明の高分子構成物は、透析治療に関する種々の異なる適用および種々の適切な適用、ならびに透析治療に加えてのさらに他の種々の異なる適用および種々の適切な適用において利用され得ることが、理解されるべきである。
【誤訳訂正１２】
【訂正対象書類名】明細書
【訂正対象項目名】００１４
【訂正方法】変更
【訂正の内容】
【００１４】
本発明の利点は、高分子構成物を作製するために、改良された方法を提供することである。
【誤訳訂正１３】
【訂正対象書類名】明細書
【訂正対象項目名】００１８
【訂正方法】変更
【訂正の内容】
【００１８】
本発明のそれ以上のさらなる利点は、透析のような医学治療の間に使用される溶液から、尿素などを除去し得る、改良された高分子構成物を提供することである。
【誤訳訂正１４】
【訂正対象書類名】明細書
【訂正対象項目名】００２０
【訂正方法】変更
【訂正の内容】
【００２０】
（発明の詳細な説明）
本発明は、一般的に、高分子構成物に関する。より詳細には、本発明は、化学結合特性を有するケトアルデヒドを含む高分子構成物のような、高分子構成物を作製および使用する方法に関する。
【誤訳訂正１５】
【訂正対象書類名】明細書
【訂正対象項目名】００２１
【訂正方法】変更
【訂正の内容】
【００２１】
一般的に、本発明のプロセスは、架橋型ポリスチレン樹脂のような、高分子構成物を調製する工程；高分子構成物のアセチル化の工程；およびこのアセチル化型高分子構成物の酸化を介した、ケトアルデヒド官能基の形成の工程を包含する。一般的に、この酸化段階は、以下に説明されるような１段階の反応における、ハロゲン化アセチル基の形成およびその後に続くその酸化によるケトアルデヒド基（例えば、グリオキサール）の形成を含む。出願人は、本発明のプロセスが、上記で議論されたように、溶液中の種々の異なる成分に関して結合特性を有する、ケトアルデヒド官能性高分子構成物を生成し得ると考える。
【誤訳訂正１６】
【訂正対象書類名】明細書
【訂正対象項目名】００２２
【訂正方法】変更
【訂正の内容】
【００２２】
出願人は、本発明のプロセスが、本発明の高分子構成物のフェニル環上のグリオキサールの数に対応する、高い濃度の活性な化学的結合部位をもたらし得ると考える。これはまた、流体から尿素のような、成分を除去することに関して、本発明の構成物の化学反応性を増加させるさらなる効果を有し得る。
【誤訳訂正１７】
【訂正対象書類名】明細書
【訂正対象項目名】００２３
【訂正方法】変更
【訂正の内容】
【００２３】
上で議論されるように、本発明のプロセス段階は、一般的に、以下：１）樹脂材料の調製；および２）樹脂材料のグリオキサール化、のように説明され得る。このグリオキサール化は、アセチル化およびその後の酸化を包含する。本発明のプロセスが、任意の適切な数およびタイプのさらなるタイプの反応段階を含み得ることが、理解されるべきである。例えば、本発明のプロセスは、このケトアルデヒド基以外の化学基を提供するために、この高分子構成物のアルキル化を含み得る。この付加的な化学基は、この高分子構成物に、上で議論されたように、その結合特性を促進するように影響し得る。グリオキサール化およびこの付加的化学基の付与は、例えば、以下で詳細に説明される類似のプロセス段階間を含む、任意の適切な順序で生じ得ることが、理解されるべきである。
【誤訳訂正１８】
【訂正対象書類名】明細書
【訂正対象項目名】００２４
【訂正方法】変更
【訂正の内容】
【００２４】
（樹脂材料調製）
本発明は、種々の適切な樹脂材料を含み得る。一般的に、この樹脂材料は、多孔性重合体構造または非多孔性重合体構造を含み得る。この孔のサイズは、用途に依存して、微小孔〜巨大孔のサイズまで変化し得る。ある実施形態では、この樹脂材料は、任意の適切なポリマーから作製される、多孔性ビーズ材料から構成される。好ましくは、この樹脂材料は、適切な量の架橋剤（例えば、ジビニルベンゼン）と架橋したスチレンのような、架橋型スチレンから作製される。ある実施形態では、この架橋型樹脂材料は、約２５重量％以下のこの架橋剤を含む。任意の適切なタイプの材料が、この樹脂材料として使用され得ることが理解されるべきである。例えば、この樹脂材料は、ゲル材料を含み得る。一般的に、これは、有効に非多孔性であるポリマー材料である。
【誤訳訂正１９】
【訂正対象書類名】明細書
【訂正対象項目名】００２８
【訂正方法】変更
【訂正の内容】
【００２８】
ある実施形態では、このポリスチレン樹脂のフェニル基は、このグリオキサール基を含むように改変される。これは、任意の適切な反応機構、好ましくは、このフェニル環に結合されたグリオキサール基を形成するための、フリーデルクラフト反応を介したアセチル化およびその後のアセチル基の酸化を介して進められ得る。以下で説明されるように、ある実施形態では、この酸化段階は、１段階の反応で、グリオキサール基を生成し得る。ある実施形態では、これは、アセチルハロゲン化物基の形成、およびその後の任意の適切な酸化剤、例えば、スルホキシド、脂肪族スルホキシド（ジメチルスルホキシドを含む）、およびハロゲン化水素酸（臭化水素を含む）のような酸を用いた反応を介する、アセチルハロゲン化物基の酸化を含む。
【誤訳訂正２０】
【訂正対象書類名】明細書
【訂正対象項目名】００３１
【訂正方法】変更
【訂正の内容】
【００３１】
本発明の高分子構成物は、任意の適切な方法において、滅菌され得る。ある実施形態では、この高分子構成物は、γ線照射を用いて滅菌され得る。一般的には、この構成物は、滅菌の目的に十分な、γ線照射の適切な量または線量に、曝露される。ある実施形態では、本発明の高分子構成物は、滅菌の間、約５Ｇｋｙ〜約５０Ｇｋｙのγ線照射に曝露される。γ線による滅菌は、任意の適切な方法において実行され得ることが、理解されるべきである。
【誤訳訂正２１】
【訂正対象書類名】明細書
【訂正対象項目名】００３２
【訂正方法】変更
【訂正の内容】
【００３２】
ある実施形態では、本発明の高分子構成物は、ケトアルデヒドを含み、ここで、このケトアルデヒドは、フェニル基およびα−ケトアルデヒド基を含む。この生成された構成物は、以下でより詳細に説明されるような、化学結合特性を示す。この高分子ケトアルデヒドは、水和型形態および／または非水和型形態を含み得る。本発明の実施形態に従う、高分子フェニルケトアルデヒドを表す一般式は、以下：
【誤訳訂正２２】
【訂正対象書類名】明細書
【訂正対象項目名】００３４
【訂正方法】変更
【訂正の内容】
【００３４】
本発明の高分子ケトアルデヒドは、生理的溶液のような溶液から、任意の適切な数、タイプおよび量の成分を効率的に除去し得る。除去について適切な成分としては、自由電子対を有するヘテロ原子（例えば、硫黄、窒素および酸素）を含むアニオン、分子またはラジカル（例えば、尿素、クレアチニン、尿酸、β−２  ミクログロブリン、他の同様の代謝性廃棄物、他の適切な生物学的物質など）が挙げられ得る。本発明の高分子構成物は、液相、気相、液体と気体の混合した相、超臨界系などの系に存在する、任意の適切な流体の成分と化学的に結合し得ることが理解されるべきである。
【誤訳訂正２３】
【訂正対象書類名】明細書
【訂正対象項目名】００３５
【訂正方法】変更
【訂正の内容】
【００３５】
この化学結合特性によって、本発明の高分子構成物は、生理的条件および／または非生理学条件下の種々の異なる用途に、うまく適合される。ある実施形態では、本発明の高分子ケトアルデヒドは、尿素、クレアチニン、尿酸、および／または他の同様の尿毒性の毒、生物学的物質、タンパク質様物質および／または血液由来の同様のもの、ならびに／または血液を透析するために使用される溶液のような、代謝性廃棄物を除去するために使用され得る。
【誤訳訂正２４】
【訂正対象書類名】明細書
【訂正対象項目名】００３６
【訂正方法】変更
【訂正の内容】
【００３６】
透析治療に関して、本発明は、腎不全を治療するための、種々の異なる透析治療において使用され得る。用語としての透析治療または同様の用語は、この本文の全体を通じて、患者から、廃棄物、毒、および過剰の水分を除去するための任意の治療形態および全て治療形態を含み、かつ包含することを意味されるように、使用される。血液透析、血液濾過および血液濾過透析のような血液治療としては、持続的腎機能代替療法（ＣＲＲＴ）のために使用される、間歇療法および持続的治療の両方が挙げられる。持続的治療としては、例えば、緩慢持続的限外濾過（ｓｌｏｗ  ｃｏｎｔｉｎｕｏｕｓ  ｕｌｔｒａｆｉｌｔｒａｔｉｏｎ）（ＳＣＵＦ）、持続的静脈静脈血液濾過（ＣＶＶＨ）、持続的静脈静脈血液透析（ＣＶＶＨＤ）、持続的静脈静脈血液濾過透析（ＣＶＶＨＤＦ）、持続的動脈静脈血液濾過（ＣＡＶＨ）、持続的動脈静脈血液透析（ＣＡＶＨＤ）、持続的動脈静脈血液濾過透析（ＣＡＶＨＤＦ）、持続的限外濾過周期間歇血液透析（ｃｏｎｔｉｎｕｏｕｓ  ｕｌｔｒａｆｉｌｔｒａｔｉｏｎ  ｐｅｒｉｏｄｉｃ  ｉｎｔｅｒｍｉｔｔｅｎｔ  ｈｅｍｏｄｉａｌｙｓｉｓ）などが挙げられる。本発明はまた、例えば、持続携帯型腹膜透析（ｃｏｎｔｉｎｕｏｕｓ  ａｍｂｕｌａｔｏｒｙ  ｐｅｒｉｔｏｎｅａｌ  ｄｉａｌｙｓｉｓ）、自動腹膜透析（ａｕｔｏｍａｔｅｄ  ｐｅｒｉｔｏｎｅａｌ  ｄｉａｌｙｓｉｓ）、持続的流量腹膜透析（ｃｏｎｔｉｎｕｏｕｓ  ｆｌｏｗ  ｐｅｒｉｔｏｎｅａｌ  ｄｉａｌｙｓｉｓ）などを含む、腹膜透析の間、使用され得る。さらに、ある実施形態では、本発明は、慢性腎不全または慢性腎疾患を有する患者に対して透析治療を提供する方法において利用され得るが、本発明は、例えば、緊急救命室の設定における急な透析の必要性に対しても使用され得ることが理解されるべきである。しかし、本発明の構成物は、血液透析の他に、生理的および非生理的な種々の異なる用途について効率的に利用され得る。
【誤訳訂正２５】
【訂正対象書類名】明細書
【訂正対象項目名】００３７
【訂正方法】変更
【訂正の内容】
【００３７】
ある実施形態では、本発明の高分子構成物は、上で議論されたような、高分子フェニルグルオキサールを含む。このタイプの高分子構成物は、フェニル基およびフェニル基に結合されたグリオキサール基を含む。
【誤訳訂正２６】
【訂正対象書類名】明細書
【訂正対象項目名】００３９
【訂正方法】変更
【訂正の内容】
【００３９】
本発明の高分子構成物および材料は、ケトアルデヒドの他に、種々の他のさらなる成分を含むことが理解される。例えば、本発明は、例えばカリウムを除去するためのイオン交換、酸性度の程度の制御、流体系における接触性の増加などのような、本発明の所望の用途に依存して、親水性基、イオン交換基などを包含し得る。そのために、強酸基もしくは弱酸基またはそれらの塩、強塩基性基もしくは弱塩基性基またはそれらの塩、および／あるいはヒドロキシル基が存在し得る。そのような材料は、必要に応じて、例えば、ナトリウムイオン、カリウムイオン、カルシウムイオン、マグネシウムイオン、塩化物イオン、炭酸水素イオン、酢酸イオンなどのような、（土類）アルカリ（性）金属イオンについて、予め交換され得る。
【誤訳訂正２７】
【訂正対象書類名】明細書
【訂正対象項目名】００４０
【訂正方法】変更
【訂正の内容】
【００４０】
以下の実施例は、本発明の実施形態に従う高分子構成物を作製する例示的な方法であり、さらに、本発明の実施形態に従って作製された高分子構成物について実施された実験的試験を説明するが、例示であり、限定ではない。
【誤訳訂正２８】
【訂正対象書類名】明細書
【訂正対象項目名】００６２
【訂正方法】変更
【訂正の内容】
【００６２】
上記で記載のように、本発明は、本発明の実施形態に従って作製された、高分子ケトアルデヒド構成物を利用し得る材料、デバイス、装置およびシステムを提供する。本発明の高分子構成物は、特に、例えば、透析治療の間使用される溶液から生理学条件下で、尿素などを除去するのに適している。本発明の結合材料は、例えば、フェニル環、α−ケトアルデヒド基、および必要に応じて、α−ケトアルデヒド基に近接するフェニル環と結合された１つ以上の活性化化学基を含むように改変されている、架橋型ポリスチレンから構成される多孔性ビーズ材料を含む任意の適切なタイプの材料を含み得る。ある実施形態では、本発明の尿素結合材料は、透析治療の間の透析流体のような流体から尿素を除去し得る。
【誤訳訂正２９】
【訂正対象書類名】明細書
【訂正対象項目名】００６８
【訂正方法】変更
【訂正の内容】
【００６８】
【図１】図１は、本発明の実施形態に従う、高分子構成物を含むデバイスを包含するシステムの模式図である。